(57)【特許請求の範囲】
【請求項１】
入力された映像信号を圧縮符号化する符号化手段と、
画質優先モード及び時間優先モードを含む複数の動作モードのうち任意の動作モードを選択する選択手段と、
前記選択手段により選択された動作モードに基づいて前記符号化手段の圧縮符号化処理を制御する制御手段とを有し、
前記制御手段は、前記選択手段で画質優先モードが選択された場合には、画質のレベルが一定となるような圧縮符号化処理を行うように前記符号化手段を制御し、前記選択手段で時間優先モードが選択された場合には、所定時間当たりの生成符号量が略一定となるような圧縮符号化処理を行うように前記符号化手段を制御することを特徴とする映像信号処理装置。
【請求項２】
前記符号化手段によって符号化された映像信号を記録媒体に記録する記録手段を備えることを特徴とする請求項１に記載の映像信号処理装置。
【請求項３】
前記記録媒体は、固体メモリ、ディスクメモリ、及び磁気テープの何れか１つを含むことを特徴とする請求項２に記載の映像信号処理装置。
【請求項４】
前記選択手段で画質優先モードが選択された場合には、前記記録媒体の使用量或いは残量を比率で表示し、前記選択手段で時間優先モードが選択された場合には、前記記録媒体への記録時間或いは記録可能時間を表示する表示手段を有することを特徴とする請求項２に記載の映像信号処理装置。
【請求項５】
前記表示手段は、映像信号を同時に表示することを特徴とする請求項４に記載の映像信号処理装置。
【請求項６】
被写体を撮像して前記映像信号を生成する撮像手段を備えることを特徴とする請求項１乃至５の何れか１項に記載の映像信号処理装置。
【請求項７】
前記画質優先モードは、圧縮率を一定にして画質レベルが一定となるように圧縮符号化処理を行う動作モードであることを特徴とする請求項１乃至６の何れか１項に記載の映像信号処理装置。
【請求項８】
入力された映像信号を圧縮符号化する符号化工程と、
画質優先モード及び時間優先モードを含む複数の動作モードのうち任意の動作モードを選択する選択工程と、
前記選択工程で選択された動作モードに基づいて前記符号化工程での圧縮符号化処理を制御する制御工程とを有し、
前記制御工程では、前記選択工程で画質優先モードが選択された場合には、画質のレベルが一定となるような圧縮符号化処理を行うように前記符号化工程の圧縮符号化処理を制御し、前記選択工程で時間優先モードが選択された場合には、所定時間当たりの生成符号量が略一定となるような圧縮符号化処理を行うように前記符号化工程の圧縮符号化処理を制御することを特徴とする映像信号処理方法。
【発明の詳細な説明】
【０００１】
【発明の属する技術分野】
本発明は、映像信号処理装置及びその方法に関し、具体的には、映像信号の圧縮符号化処理に関するものである。
【０００２】
【従来の技術】
従来より、画像（映像）信号を記録媒体に記録する映像記録装置として、アナログ式の映像信号を磁気テープに記録するビデオテープレコーダ（以下、ＶＴＲと言う）があるが、今日においては、アナログ式の映像信号をディジタル化して記録媒体に記録するディジタル方式の映像記録装置も多く用いられている。
【０００３】
このディジタル方式の映像記録装置としては、ディジタル映像信号を磁気テープに記録するディジタルＶＴＲ、固体ディスクや光磁気ディスクに記録するディジタルビデオディスク装置、フラッシュメモリやＳＲＡＭ（Ｓｔａｔｉｃ  Ｒａｎｄｏｍ  Ａｃｃｅｓｓ  Ｍｅｍｏｒｙ  ）等の固体メモリに記録する固体メモリビデオ装置等がある。
【０００４】
ところで、上述のようなディジタル式の映像記録装置（以下、単に映像記録装置と言う）では、ディジタル映像信号に圧縮符号化処理を行って情報量を削減することにより、少ない記憶容量で多くの動画情報や静止画情報を記録できるようになされている。
【０００５】
そこで、上述のような映像記録装置では、例えば、直交変換のなかでも特に圧縮効率の高い離散コサイン変換（ＤＣＴ：Ｄｉｓｃｒｅｔｅ  Ｃｏｓｉｎｅ  Ｔｒａｎｓｆｏｒｍ  ）を用いたＤＣＴ方式が用いられている。
【０００６】
このＤＣＴ方式では、先ず、１枚の画像を水平ｘ画素、垂直ｎ画素（ｘ，ｎ：整数）の複数のブロックに分割し、ＤＣＴ変換を行う。次に、その変換後の各ＤＣＴ係数をある除数（量子化ステップ）で割り算し、余りを丸めることで量子化する。そして、量子化後の画像は低周波成分に偏るという特性を利用して、高周波成分のビット数を減らすことにより、情報量が大幅に削減される。
【０００７】
また、量子化後のデータに、そのデータの発生頻度に応じた符号長を割り当てる可変長符号化、例えば、ハフマン符号化等を行うことにより、さらなる情報圧縮が可能となる。
【０００８】
さらに、動画像はフレーム間での相関が強いという特性を利用して、フレーム間の差分をとるフレーム間予測符号化を行うことで、さらに大幅に情報圧縮が可能となる。
【０００９】
したがって、映像記録装置は、上述のような圧縮技術を組み合わせてディジタル映像信号を圧縮することにより、情報量を削減した上で、磁気テープ、固体ディスク、光磁気ディスク、固体メモリ等の記録媒体に記録することができる。
【００１０】
【発明が解決しようとする課題】
しかしながら、上述したような従来の映像記録装置は、画質を重視し、どのような映像に対しても一定レベルの画質を保つようになされていたため、絵柄が細かい映像や、動きが激しい映像等、映像によって圧縮して得られる記録データの量（符号量）が大幅に変わることがあり、この結果、記録時間も変わってしまうことがあった。
このため、使用者は、撮影中に記録可能な時間等を把握することが非常に困難であり、使用者の意思に反して撮影の途中で記録不可能となってしまうこともあった。
【００１１】
そこで、例えば、量子化のビット数を可変する等して、どのような映像に対しても一定の符号量となるように、単位時間当たりの符号量（符号レート）を制御するようになされた映像記録装置がある。
【００１２】
しかしながら、このような映像記録装置は、符号レートを低くすると映像によって画質が大幅に変わってしまい、この結果、映像の絵柄によっては、見るに耐えない画質になってしまうことがあった。また、符号レートを高くすると、記憶容量が多く必要となり、その分記録時間も大幅に増大してしまっていた。
【００１３】
上述のように、従来の映像記録装置は、画質を重視すると、一定の符号レートで所定の記録時間を確実に確保することができず、一方、符号レートが一定となるように構成すると、画質が劣化したり、記憶容量や記録時間を無駄に使用してしまうことがあった。
【００１４】
そこで、本発明は、上記の欠点を除去するために成されたもので、操作性が優れており、使用者の使用目的に合わせて動作することにより、使用者の意図する好適な撮影を行うことができる映像信号処理装置及びその方法を提供することを目的とする。
【００１５】
【課題を解決するための手段】
上記目的を達成するために本発明の映像信号処理装置は、入力された映像信号を圧縮符号化する符号化手段と、画質優先モード及び時間優先モードを含む複数の動作モードのうち任意の動作モードを選択する選択手段と、前記選択手段により選択された動作モードに基づいて前記符号化手段の圧縮符号化処理を制御する制御手段とを有し、前記制御手段は、前記選択手段で画質優先モードが選択された場合には、画質のレベルが一定となるような圧縮符号化処理を行うように前記符号化手段を制御し、前記選択手段で時間優先モードが選択された場合には、所定時間当たりの生成符号量が略一定となるような圧縮符号化処理を行うように前記符号化手段を制御することを特徴とする。
また、上記目的を達成するために本発明の映像信号処理方法は、入力された映像信号を圧縮符号化する符号化工程と、画質優先モード及び時間優先モードを含む複数の動作モードのうち任意の動作モードを選択する選択工程と、前記選択工程で選択された動作モードに基づいて前記符号化工程での圧縮符号化処理を制御する制御工程とを有し、前記制御工程では、前記選択工程で画質優先モードが選択された場合には、画質のレベルが一定となるような圧縮符号化処理を行うように前記符号化工程の圧縮符号化処理を制御し、前記選択工程で時間優先モードが選択された場合には、所定時間当たりの生成符号量が略一定となるような圧縮符号化処理を行うように前記符号化工程の圧縮符号化処理を制御することを特徴とする。
【００１６】
【発明の実施の形態】
以下、本発明の実施の形態について図面を用いて説明する。
【００１７】
まず、第１の実施の形態について説明する。
【００１８】
本発明に係る映像信号処理方法は、例えば、図１に示すような記録装置１００により実施され、この記録装置１００は、本発明に係る映像信号処理装置を適用したものである。
【００１９】
すなわち、記録装置１００は、上記図１に示すように、被写体１５０を撮影するビデオカメラ１０１と接続されており、ビデオカメラ１０１の出力が各々供給されるデータ圧縮回路１０２及び加算器１０８と、データ圧縮回路１０２の出力が各々供給される符号量測定回路１０３及びメモリ１０４と、メモリ１０４と接続され且つ符号量測定回路１０３の出力が供給されるマイクロコンピュータ（以下、マイコンと言う）１０５と、マイコン１０５の出力が供給されるキャラクタジェネレータ１０７とを備えており、キャラクタジェネレータ１０７の出力は加算器１０８に供給されるようになされている。
また、記録装置１００は、加算器１０８の出力が供給されるディスプレイ装置１０９と、スイッチ１０６とを備えており、マイコン１０５がスイッチ１０６の切換状態を読み取るようになされている。
【００２０】
まず、上述のような記録装置１００の一連の動作について説明する。
【００２１】
マイコン１０５は、装置全体の動作制御を行うものであり、スイッチ１０６や、例えば、装置本体に設けられた図示していない操作部等の操作に従った動作制御を行う。
【００２２】
そこで、先ず、使用者は、画質優先で撮影を行うか、或いは、記録時間（録画時間）優先で撮影を行うかを決め、スイッチ１０６を操作することにより、画質優先モードと録画時間優先モードの何れか所望の動作モードを選択する。
そして、使用者は、記録装置１００が記録状態となるように、上述したような操作部を操作して、ビデオカメラ１０１で撮影を開始する。
【００２３】
撮影が開始されると、ビデオカメラ１０１は、被写体１５０を撮影して得られた映像信号に所定の信号処理を行って、ディジタル映像信号（映像データ）を生成する。そして、ビデオカメラ１０１は、生成した映像データを記録装置１００に供給する。
【００２４】
記録装置１００では、ビデオカメラ１０１からの映像データがデータ圧縮回路１０２及び加算器１０８に各々供給される。
【００２５】
データ圧縮回路１０２は、マイコン１０５から指示された圧縮率とタイミングで、ビデオカメラ１０１からの映像データを圧縮して符号量測定回路１０３に供給すると共に、例えば、固体メモリからなるメモリ１０４に書き込む。
【００２６】
符号量測定回路１０３は、データ圧縮回路１０２で圧縮された映像データから、その圧縮の際に発生した単位時間当たりの符号量を測定し、その測定結果をマイコン１０５に供給する。
【００２７】
マイコン１０５は、上述したような操作部の操作に従って、装置全体の動作制御を行うが、特に、スイッチ１０６の切換状態を読み取り、画質優先モードが選択されているか、或いは、録画時間優先モードが選択されているかを認識する。そして、マイコン１０５は、現在選択されている動作モードに基づいて、データ圧縮回路１０２に上述したような圧縮率やタイミングの指示を与える。また、これと同時に、マイコン１０５は、現在選択されている動作モードに基づいて、メモリ１０４の残容量（メモリ残量）の情報や、撮影可能な残り時間（録画可能時間）の情報等を検出し、その検出した各種情報をキャラクタジェネレータ１０７に供給する。
【００２８】
キャラクタジェネレータ１０７は、マイコン１０５からの各種情報から表示データを生成して加算器１０８に供給する。
【００２９】
このとき、加算器１０８には、上述したようにビデオカメラ１０１で撮影して得られた映像データが供給されている。
【００３０】
したがって、加算器１０８は、ビデオカメラ１０１からの映像データと、キャラクタジェネレータ１０７からの表示データとを合成（ミックス）して、ディスプレイ装置１０９に供給する。
【００３１】
これにより、ディスプレイ装置１０９には、ビデオカメラ１０１で撮影された被写体１５０の映像に、マイコン１０５で得られたメモリ残量情報や録画可能時間情報等が合成された画面が表示されることとなる。
【００３２】
具体的には、例えば、スイッチ１０６で画質優先モードが選択された場合、図２（Ａ）に示すように、ディスプレイ装置１０９には、撮影された被写体１５０が画面表示されると同時に、その画面の左上部分２０１に、メモリ１０４の残量が棒グラフと文字（上記図２（Ａ）では、「メモリ残量７０％」）で表示される。
【００３３】
また、スイッチ１０６で録画時間優先モードが選択された場合、上記図２（Ｂ）に示すように、ディスプレイ装置１０９には、撮影された被写体１５０が画面表示されると同時に、その画面の左上部分２０２に、撮影可能な残り時間が棒グラフと文字（上記図２（Ｂ）では、「残り時間１０：２３」）で表示される。
【００３４】
つぎに、上述のような記録装置１００の動作を制御するマイコン１０５の処理を、図３に示すフローチャート用いて具体的に説明する。
【００３５】
先ず、マイコン１０５は、データ圧縮回路１０２に与える圧縮率を、画質のレベルが一定であり、どのような被写体でも最適な画質となる圧縮率Ａとする（ステップＳ３０２）。
これにより、データ圧縮回路１０２は、ビデオカメラ１０１からの映像データを圧縮率Ａで圧縮することとなる。
【００３６】
次に、マイコン１０５は、メモリ１０４の残量Ｍを検出し、その検出したメモリ残量Ｍを図示していない内部メモリに一旦記憶する（ステップＳ３０３）。
【００３７】
次に、マイコン１０５は、スイッチ１０６に切換状態を読み取り、画質優先モードが選択されているか、或いは、録画時間優先モードが選択されているかを判別する（ステップＳ３０４）。
【００３８】
ステップＳ３０４の判別の結果、画質優先モードが選択されていた場合、マイコン１０５は、データ圧縮回路１０２に与える圧縮率をステップＳ３０２で設定した圧縮率Ａに維持した状態とする（ステップＳ３１１）。
そして、マイコン１０５は、ステップＳ３０３で一旦記憶したメモリ残量Ｍの情報をキャラクタジェネレータ１０７を介して加算器１０８に供給する。これにより、ディスプレイ装置１０９には、上記図２（Ａ）に示したような画面が表示される（ステップＳ３１２）。
ステップＳ３１２の処理後、マイコン１０５は、後述するステップＳ３１３の処理に進む。
【００３９】
一方、ステップＳ３０４の判別の結果、録画時間優先モードが選択されていた場合、マイコン１０５は、先ず、符号量測定回路１０３の測定結果により、１フィールド当たりの符号量Ｘが予め設定されている所定値ＴＨ１より大きいか否かを判別する（ステップＳ３０５）。
【００４０】
ステップＳ３０５の判別の結果、「符号量Ｘ＞ＴＨ１」であった場合、マイコン１０５は、符号量Ｘが多いことを認識し、圧縮率Ａより高い圧縮率で圧縮を行うことにより符号量Ｘを減らす指示をデータ圧縮回路１０２に与える（ステップＳ３０７）。
ステップＳ３０７の処理後、マイコン１０５は、後述するステップＳ３１３の処理に進む。
【００４１】
ステップＳ３０５の判別の結果、「符号量Ｘ＞ＴＨ１」でなかった場合、次に、マイコン１０５は、その符号量Ｘが予め設定されている所定値ＴＨ２より小さいか否かを判別する（ステップＳ３０６）。
【００４２】
ステップＳ３０６の判別の結果、「符号量Ｘ＜ＴＨ２」であった場合、マイコン１０５は、符号量Ｘが少ないことを認識し、圧縮率Ａより低い圧縮率で圧縮を行うことにより符号量Ｘを増やす指示をデータ圧縮回路１０２に与える（ステップＳ３０８）。
ステップＳ３０８の処理後、マイコン１０５は、後述するステップＳ３１３の処理に進む。
【００４３】
ステップＳ３０６の判別の結果、「符号量Ｘ＜ＴＨ２」でなかった場合、すなわち、符号量ＸがＴＨ１以下で且つＴＨ２以上の場合、マイコン１０５は、現在適正な符号量Ｘであることを認識し、録画可能時間Ｔを、ステップＳ３０３で一旦記憶したメモリ残量Ｍ、符号量Ｘ、及び１秒当たりのフレーム数Ｆを持って、
Ｔ＝Ｍ／（Ｘ×Ｆ）
なる式により算出する（ステップＳ３０９）。
【００４４】
次に、マイコン１０５は、ステップＳ３０９で算出した録画可能時間Ｔの情報をキャラクタジェネレータ１０７を介して加算器１０８に供給する。これにより、ディスプレイ装置１０９には、上記図２（Ｂ）に示したような画面が表示される（ステップＳ３１０）。
【００４５】
次に、マイコン１０５は、データ圧縮開始の指示をデータ圧縮回路１０２に与える（ステップＳ３１３）。
【００４６】
次に、マイコン１０５は、データ圧縮回路１０２で映像データ１フレーム分の圧縮が完了し、メモリ１０５に書き込まれるまで待機状態となる（ステップＳ３１４）。
そして、データ圧縮回路１０２で映像データ１フレーム分の圧縮が完了し、メモリ１０４に書き込まれると、マイコン１０５はこれを認識し、上述したステップＳ３０３の処理に戻り、以降のステップ処理を繰り返し行う。
【００４７】
上述のように、第１の実施の形態では、スイッチ１０６で画質優先モードが選択された場合には、高画質となる圧縮率で映像信号の圧縮符号化を行い、スイッチ１０６で録画時間優先モードが選択された場合には、時間当たりの生成符号量が一定となるように映像信号の圧縮符号化を行うように構成したため、使用者は、使用目的に合わせて、画質優先とするか、録画時間優先とするかを容易に選択することができ、その目的に合った適正な映像をメモリ１０４に記録することができる。
また、ディスプレイ装置１０９に撮影された被写体を画面表示すると同時に、同画面上に、スイッチ１０６で画質優先モードが選択された場合には、メモリ１０４の残量を表示し、スイッチ１０６で録画時間優先モードが選択された場合には、録画可能時間を表示するように構成したため、使用者は、メモリ１０４の残量或いは録画可能時間を一目で認識することができる。このため、従来のように、撮影途中で、使用者の意思に反して記録不可能となることはない。
したがって、使用勝手や操作性を向上させることができ、使用者の意図する好適な撮影を行うことができる。
【００４８】
尚、上述した第１の実施の形態では、メモリ１０４を固体メモリとしたが、これに限らず、フラッシュメモリ、ＲＡＭ、磁気テープ、光ディスク、光磁気ディスク、磁気記録のハードディスク等でもよい。
【００４９】
また、上述した第１の実施の形態では、本発明に係る映像記録装置をビデオカメラ１０１と接続された記録装置１００に適用することとしたが、これに限らず、ビデオカメラ１０１そのものに適用してもよい。
すなわち、被写体を撮像する手段と一体型の映像記録装置又は再生装置に適用してもよい。これにより、重量や大きさが制限される持ち運び可能なポータブル機器等の限られたメモリ容量でも、使用目的に合わせて、撮影時間等を気にせずに安心して使用することができる。
【００５０】
つぎに、第２の実施の形態について説明する。
【００５１】
上述した第１の実施の形態では、画質優先モード選択時にはメモリ１０４の残量を表示し、録画時間優先モード選択時には録画可能時間を表示することとしたが、この第２の実施の形態では、画質優先モード選択時にはメモリ１０４の使用量を表示し、録画時間優先モード選択時には録画時間を表示する。
【００５２】
尚、この第２の実施の形態で用いる記録装置は、上記図１に示した記録装置１００と同様であるため、その詳細は省略し、上記図１を用いて以下の説明を行う。また、第１の実施の形態と異なる部分についてのみ具体的に説明する。
【００５３】
まず、例えば、スイッチ１０６で画質優先モードが選択された場合、図４（Ａ）に示すように、ディスプレイ装置１０９には、撮影された被写体１５０が画面表示されると同時に、その画面の左上部分４０１に、メモリ１０４の使用量が棒グラフと文字（上記図４（Ａ）では、「２５％」）で表示される。
【００５４】
また、スイッチ１０６で録画時間優先モードが選択された場合、上記図４（Ｂ）に示すように、ディスプレイ装置１０９には、撮影された被写体１５０が画面表示されると同時に、その画面の左上部分４０２に、今までに撮影した時間（録画時間）が棒グラフと文字（上記図４（Ｂ）では、「１５：４０」）で表示される。
【００５５】
そこで、マイコン１０５では、例えば、図５に示すフローチャートに従った処理が行われる。
【００５６】
尚、上記図５のフローチャートにおいて、上記図３に示したフローチャートと同じ処理を行うステップには同じステップ番号を付し、その詳細な説明は省略する。
【００５７】
すなわち、マイコン１０５は、先ず、データ圧縮回路１０２に与える圧縮率を圧縮率Ａとした後（ステップＳ３０２）、メモリ１０４の使用量ｍを検出し、その検出したメモリ使用量ｍを図示していない内部メモリに一旦記憶する（ステップＳ５０１）。
【００５８】
次に、マイコン１０５は、スイッチ１０６に切換状態により、画質優先モードが選択されているか、或いは、録画時間優先モードが選択されているかを判別する（ステップＳ３０４）。
【００５９】
ステップＳ３０４の判別の結果、画質優先モードが選択されていた場合、マイコン１０５は、データ圧縮回路１０２に与える圧縮率を圧縮率Ａに維持した状態とし（ステップＳ３１１）、ステップＳ３０３で一旦記憶したメモリ使用量ｍの情報をキャラクタジェネレータ１０７を介して加算器１０８に供給する。これにより、ディスプレイ装置１０９には、上記図４（Ａ）に示したような画面が表示される（ステップＳ５０４）。
ステップＳ５０４の処理後、マイコン１０５は、ステップＳ３１３の処理に進む。
【００６０】
一方、ステップＳ３０４の判別の結果、録画時間優先モードが選択されていた場合、マイコン１０５は、符号量測定回路１０３の測定結果により、１フィールド当たりの符号量Ｘが予め設定されている所定値ＴＨ１より大きいか否かを判別した後（ステップＳ３０５）、その符号量Ｘが予め設定されている所定値ＴＨ２より小さいか否かを判別する（ステップＳ３０６）。
【００６１】
これらの各ステップＳ３０５及びステップＳ３０６の判別の結果、符号量ＸがＴＨ１以下で且つＴＨ２以上の場合、マイコン１０５は、現在適正な符号量Ｘであることを認識し、録画時間ｔを、ステップＳ３０３で一旦記憶したメモリ使用量ｍ、符号量Ｘ、及び１秒当たりのフレーム数Ｆを持って、
ｔ＝ｍ／（Ｘ×Ｆ）
なる式により算出する（ステップＳ５０２）。
【００６２】
次に、マイコン１０５は、ステップＳ５０２で算出した録画時間ｔの情報をキャラクタジェネレータ１０７を介して加算器１０８に供給する。これにより、ディスプレイ装置１０９には、上記図４（Ｂ）に示したような画面が表示される（ステップＳ５０３）。
【００６３】
そして、マイコン１０５は、データ圧縮開始の指示をデータ圧縮回路１０２に与え（ステップＳ３１３）、データ圧縮回路１０２で映像データ１フレーム分の圧縮が完了し、メモリ１０５に書き込まれるまで待機状態となり（ステップＳ３１４）、データ圧縮回路１０２で映像データ１フレーム分の圧縮が完了し、メモリ１０４に書き込まれると、上述したステップＳ３０３の処理に戻り、以降のステップ処理を繰り返し行う。
【００６４】
上述のように、第２の実施の形態では、ディスプレイ装置１０９に撮影された被写体を画面表示すると同時に、同画面上に、スイッチ１０６で画質優先モードが選択された場合にはメモリ１０４の使用量を表示し、スイッチ１０６で録画時間優先モードが選択された場合には録画時間を表示するように構成したため、使用者は、メモリ１０４の使用量或いは録画時間を一目で認識することができる。このため、従来のように、撮影途中で、使用者の意思に反して記録不可能となることはない。
したがって、この第２の実施の形態でも、使用勝手や操作性を向上させることができ、使用者の意図する好適な撮影を行うことができる。
【００６５】
【発明の効果】
以上説明したように、本発明によれば、画質優先モード選択時には、画質を重視して、どのような映像に対しても一定のレベルの画質を保つような圧縮符号化処理を行い、時間優先モード選択時には、単位時間当たりの符号量が略一定となるような圧縮符号化処理を行うように構成したことにより、使用者の使用目的に合わせて、画質を重視した映像信号の撮影や、一定のメモリ容量で且つ所定の時間での映像信号の撮影を確実に行うことができる。
【図面の簡単な説明】
【図１】第１の実施の形態において、本発明に係る映像信号処理装置を適用した記録装置の構成を示すブロック図である。
【図２】上記記録装置のディスプレイ装置での画面表示を説明するための図である。
【図３】上記記録装置のマイクロコンピュータで行われる処理を説明するためのフローチャートである。
【図４】第２の実施の形態において、上記ディスプレイ装置での画面表示を説明するための図である。
【図５】上記マイクロコンピュータで行われる処理を説明するためのフローチャートである。
【符号の説明】
１００    記録装置
１０１    ビデオカメラ
１０２    データ圧縮回路
１０３    符号量測定回路
１０４    メモリ
１０５    マイコン
１０６    スイッチ
１０７    キャラクタジェネレータ
１０８    加算器
１０９    ディスプレイ装置
１５０    被写体
【図１】
0003581515.tif 000002
【図２】
0003581515.tif 000003
【図３】
0003581515.tif 000004
【図４】
0003581515.tif 000005
【図５】
0003581515.tif 000006